(57)【特許請求の範囲】
【請求項１】
レンズアセンブリを保持するための筒状部を有するレンズホルダと、該レンズホルダに前記筒状部の周囲に位置するように固定された駆動コイルと、該駆動コイルと対向する永久磁石を備えたヨークと、前記レンズホルダの筒状部の光軸方向両側に設けられ、前記レンズホルダを径方向に位置決めした状態で光軸方向に変位可能に支持する前側スプリングおよび後側スプリングとを備え、前記前側スプリング及び前記後側スプリングの各々は、前記レンズホルダに取り付けられた内周側端部と前記ヨークに取り付けられた外周側端部とを有し、前記レンズホルダの筒状部の内周壁には雌ネジが切られており、前記レンズアセンブリの外周壁には前記雌ネジに螺合される雄ネジが切られており、前記駆動コイルに通電することで、前記永久磁石の磁界と前記駆動コイルに流れる電流による磁界との相互作用によって、前記レンズホルダを光軸方向に位置調整可能な略四角柱形状のレンズ駆動装置において、
前記前側スプリングの内周側端部を前記レンズホルダの筒状部との間で挟持して固定するストッパを更に備え、
前記ストッパは、前記前側スプリングの内周側端部を前記レンズホルダに密着させて、前記前側スプリングの前記レンズホルダに対する接着強度を向上させる機能と、当該レンズ駆動装置の落下衝撃の際の前記前側スプリングの変形を防止する機能と、当該レンズ駆動装置の機械的ストロークを決める機能とを持ち、
前記ストッパが、前記レンズアセンブリを前記レンズホルダの筒状部に螺合によって装着する際に、前記レンズホルダが回転するのを完全に防止するための回転防止部材を有しており、
前記回転防止部材が、当該ストッパから半径方向外側に当該略四角柱形状のレンズ駆動装置の角部側へ向かって突出して、前記光軸に対して１８０°だけ回転させた２回回転対称な位置に設けられた２個のコ字形状の回転防止押え部から成る、
ことを特徴とするレンズ駆動装置。
【請求項２】
請求項１に記載のレンズ駆動装置において、前記レンズアセンブリを前記レンズホルダの筒状部に装着する方法であって、
治具の２つの係合突起を前記ストッパの前記２個の回転防止押え部に係合する工程と、
前記レンズアセンブリを、前記レンズホルダの筒状部に対して前記光軸周りに回転して前記光軸方向に螺合する工程と、
前記レンズアセンブリと前記レンズホルダの筒状部とを接合する工程と、
を含む装着方法。
【発明の詳細な説明】
【技術分野】
【０００１】
本発明はレンズ駆動装置に関し、特に、携帯型小型カメラに用いられるオートフォーカス用レンズ駆動装置に関する。
【背景技術】
【０００２】
カメラ付携帯電話には携帯型小型カメラが搭載されている。この携帯型小型カメラには、オートフォーカス用レンズ駆動装置が用いられる。従来から、種々のオートフォーカス用レンズ駆動装置が提案されている。
【０００３】
例えば、特許文献１（特開２００５−１２８３９２号公報）は、耐衝撃性に優れたレンズ駆動装置を開示している。この特許文献１に開示されたレンズ駆動装置は、略円筒形状のヨークと、このヨークが装着されるベースと、ヨークの内周側に配置されるレンズ支持体（レンズホルダ）と、レンズ支持体に取り付けられる一対の板バネとを備える。一対の板バネは、前側スプリングおよび後側スプリングとも呼ばれる。前側スプリングはレンズ支持体におけるレンズの光軸方向前側（一方側）に配置され、後側スプリングはレンズの光軸方向後側（他方側）に配置されている。ヨークは断面が略コ字形状であり、コ字の内部にマグネット（永久磁石）が配置され、コ字の内部でマグネットの内周側にコイル（駆動コイル）が配置されている。マグネットは後方スペーサを介してベースに固定されている。コイル（駆動コイル）はレンズ支持体の外周部に固定されている。レンズ支持体（レンズホルダ）の外周部がヨークの内部に入り込んでいる。これにより、レンズ支持体（レンズホルダ）の外周部はヨークのコ字隙間を移動するようになっている。ベースの内周側にヨークが固定されている。ベースの基底部には後方スペーサとの間に後方スプリングの外周端部が固定されている。
【０００４】
特許文献１に開示されたレンズ駆動装置において、レンズ支持体（レンズホルダ）は略円筒形状であり、その内部にレンズ（レンズアセンブリ、バレル）が収納されている。レンズ支持体（レンズホルダ）はヨークの内周側を光軸に沿って移動可能に取り付けられている。前側スプリングは略環状の板バネからなり、内周側端部と外周側端部とを有する。前側スプリングの内周側端部は、レンズ支持体（レンズホルダ）とキャップとの間に挟持されて、レンズ支持体（レンズホルダ）に固定されている。前側スプリングの外周側端部とヨークとの間には前方スペーサが介在されている。後側スプリングは、前側スプリングと略同一形状であり、略環状の板バネからなる。後側スプリングの内周側端部はレンズ支持体（レンズホルダ）の後端に固定されている。後側スプリングの外周側端部はベースの基底部と後方スペーサとの間に固定されている。
【０００５】
特許文献１に開示されたレンズ駆動装置において、レンズ支持体（レンズホルダ）の内周壁には雌ネジが切られ、レンズアセンブリ（バレル）の外周壁には雄ネジが切られている。従って、レンズアセンブリ（バレル）をレンズ支持体（レンズホルダ）に装着するには、レンズアセンブリ（バレル）をレンズ支持体（レンズホルダ）に対して光軸周りに回転して光軸方向に沿って螺合することにより、レンズアセンブリ（バレル）をレンズ支持体（レンズホルダ）内に収容し、接着剤などで互いに固定する。
【０００６】
また、特許文献２（特開２００６−２９３２４３号公報）は、撮影方向を鉛直方向に対して傾けて使用した場合でも、レンズをスムースに駆動することができるとともに、レンズ光軸方向を正確に撮影方向に向けることのできるレンズ駆動装置を開示している。この特許文献２に開示されたレンズ駆動装置は、レンズ（レンズアセンブリ）を保持するホルダ（レンズホルダ）と、このホルダ（レンズホルダ）に装着された環状の駆動コイルと、固定部側に設けられ、駆動コイルに放射状の駆動用磁界を印加する磁界発生手段とを備えるとともに、ホルダ（レンズアセンブリ）の上部側と固定部材の上部側とを連結する第１のバネ部材（前側スプリング）と、ホルダ（レンズホルダ）の下部側と固定部材の下部側とを連結する第２のバネ部材（後側スプリング）とを備えている。ここで、前側スプリングの内周側端部は、上記特許文献１と同様に、レンズホルダの前端とキャップとに挟持されて、レンズホルダに固定されている。
【０００７】
この特許文献２に開示されたレンズ駆動装置において、レンズホルダは外筒部と内筒部とを有し、外筒部の内周壁には雌ネジが切られ、内筒部の外周壁には雄ネジが切られている。したがって、内筒部を外筒部に装着するには、内筒部を外筒部に対して光軸周りに回転して、光軸方向に沿って螺合することにより、内筒部を外筒部内に収容し、接着剤などで互いに固定する。
【０００８】
さらに、特許文献３（特開２００６−２５８９６９号公報）は、オートフォーカスに要する時間を短縮したカメラ付携帯電話を開示している。この特許文献３に開示されたカメラ付携帯電話（レンズ駆動装置）は、一端にレンズ（レンズアセンブリ、バレル）が取り付けられた筒状部を有するホルダ（レンズホルダ）と、このホルダ（レンズホルダ）にホルダの筒状部の周囲に位置するように固定された駆動コイルと、この駆動コイルと対向する永久磁石を備えたヨークと、ホルダ（レンズホルダ）の筒状部の光軸方向両側に設けられ、ホルダ（レンズホルダ）を径方向に位置決めした状態で光軸方向に変位可能に支持する一対の板バネとを備える。駆動コイルに通電することで、永久磁石の磁界とコイルに流れる電流による磁界との相互作用によって、レンズ（レンズアセンブリ）を光軸方向に位置調整可能である。一対の板バネのうち、一方は上側板バネ（前側スプリング）と呼ばれ、他方は下側板バネ（後側スプリング）と呼ばれる。上側板バネ（前側スプリング）の内周側端部は、ホルダの上端（前端）とストッパとの間に挟持されて、ホルダ（レンズホルダ）に嵌合されている。
【０００９】
この特許文献３では、レンズアセンブリ（バレル）がホルダ（レンズホルダ）の筒状部に取り付けられるとのみ記載されており、レンズホルダに対するレンズアセンブリ（バレル）の装着方法については何ら開示していない。しかしながら、特許文献３において、上記特許文献１、２に開示されているように、螺合によって、レンズアセンブリ（バレル）をレンズホルダに装着すると考えられる。尚、ストッパの光軸方向外側にカバーが設けられており、ストッパとカバーとは、それらが互いに接触しないように、クリアランスを確保した状態で、配置されている。
【００１０】
【特許文献１】特開２００５−１２８３９２号公報（図１、図２）
【特許文献２】特開２００６−２９３２４３号公報（図１）
【特許文献３】特開２００６−２５８９６９号公報（図２、図３）
【発明の開示】
【発明が解決しようとする課題】
【００１１】
前述した特許文献１、２に開示された構造では、いずれも、レンズアセンブリ（バレル）をレンズホルダに装着したり、フォーカス調製する際、レンズホルダがレンズアセンブリ（バレル）と一緒に回転してしまう。その為、レンズホルダを上下（前後）から保持する上側板バネ（前側スプリング）および下側板バネ（後側スプリング）を変形させてしまうという問題がある。
【００１２】
また、特許文献３では、ストッパがカバーに接触しないように、それらの間にクリアランスを確保する必要がある。その為、レンズアセンブリ（バレル）をレンズホルダに装着したり、フォーカス調製する際、レンズホルダの大きな回転を防止できたとしても、クリアランス分はレンズホルダが回転してしまう。その結果、レンズホルダの回転を完全に防止することはできない。
【００１３】
本発明の課題は、バレル（レンズアセンブリ）をレンズホルダに装着したり、フォーカス調製する際に、レンズホルダの回転を完全に防止することができる、レンズ駆動装置を提供することにある。
【００１４】
本発明の他の目的は、説明が進むにつれて明らかになるだろう。
【課題を解決するための手段】
【００１５】
本発明によれば、レンズアセンブリを保持するための筒状部（１４０）を有するレンズホルダ（１４）と、このレンズホルダに筒状部の周囲に位置するように固定された駆動コイル（１６）と、この駆動コイルと対向する永久磁石（１８）を備えたヨーク（２０）と、レンズホルダの筒状部の光軸（Ｏ）方向両側に設けられ、レンズホルダを径方向に位置決めした状態で光軸（Ｏ）方向に変位可能に支持する前側スプリング（２２）および後側スプリング（２４）とを備え、前側スプリング及び後側スプリングの各々は、レンズホルダ（１４）に取り付けられた内周側端部（２２２；２４２）とヨーク（２０）に取り付けられた外周側端部（２２４；２４４）とを有し、レンズホルダ（１４）の筒状部（１４０）の内周壁には雌ネジ（１４２）が切られており、レンズアセンブリの外周壁には雌ネジに螺合される雄ネジが切られており、駆動コイル（１６）に通電することで、永久磁石（１８）の磁界と駆動コイル（１６）に流れる電流による磁界との相互作用によって、レンズホルダ（１４）を光軸（Ｏ）方向に位置調整可能な略四角柱形状のレンズ駆動装置（１０）において、前側スプリング（２２）の内周側端部（２２２）をレンズホルダ（１４）の筒状部（１４０）との間で挟持して固定するストッパ（２６）を更に備え、ストッパ（２６）は、前側スプリング（２２）の内周側端部（２２２）をレンズホルダ（１４）に密着させて、前側スプリング（２２）のレンズホルダ（１４）に対する接着強度を向上させる機能と、当該レンズ駆動装置の落下衝撃の際の前側スプリング（２２）の変形を防止する機能と、当該レンズ駆動装置の機械的ストロークを決める機能とを持ち、ストッパ（２６）が、レンズアセンブリをレンズホルダ（１４）の筒状部（１４０）に螺合によって装着する際に、レンズホルダ（１４）が回転するのを完全に防止するための回転防止部材（２６２）を有しており、回転防止部材が、当該ストッパ（２６）から半径方向外側に当該略四角柱形状のレンズ駆動装置（１０）の角部側へ向かって突出して、光軸（Ｏ）に対して１８０°だけ回転させた２回回転対称な位置に設けられた２個のコ字形状の回転防止押え部（２６２）から成る、ことを特徴とするレンズ駆動装置が得られる。
【００１７】
また、本発明によれば、上記レンズ駆動装置（１０）において、レンズアセンブリをレンズホルダ（１４）の筒状部（１４０）に装着する方法であって、治具（４０）の２つの係合突起（４０６）をストッパ（２６）の２個の回転防止押え部（２６２）に係合する工程と、レンズアセンブリを、レンズホルダ（１４）の筒状部（１４０）に対して光軸（Ｏ）周りに回転して光軸（Ｏ）方向に螺合する工程と、レンズアセンブリとレンズホルダ（１４）の筒状部（１４０）とを接合する工程と、を含む装着方法が得られる。
【００１８】
尚、上記括弧内の参照符号は、理解を容易にするために付したものであり、一例に過ぎず、これらに限定されないのは勿論である。
【発明の効果】
【００１９】
本発明では、ストッパが、半径方向外側に略四角柱形状のレンズ駆動装置の角部側へ向かって突出する２個のコ字形状の回転防止押え部から成る回転防止部材を備えているので、レンズアセンブリをレンズホルダの筒状部に装着したり、フォーカス調整する際に、レンズホルダがレンズアセンブリと一緒に回転するのを完全に防止することができる。
【発明を実施するための最良の形態】
【００２０】
以下、図面を参照して、本発明の実施の形態について説明する。
【００２１】
図１乃至図３を参照して、本発明の一実施の形態によるレンズ駆動装置１０について説明する。図１はレンズ駆動装置１０の外観斜視図であり、図２はレンズ駆動装置１０の断面図であり、図３はレンズ駆動装置１０の分解斜視図である。ここでは、図１乃至図３に示されるように、直交座標系（Ｘ，Ｙ，Ｚ）を使用している。図１乃至図３に図示した状態では、直交座標系（Ｘ，Ｙ，Ｚ）において、Ｘ軸は前後方向（奥行方向）であり、Ｙ軸は左右方向（幅方向）であり、Ｚ軸は上下方向（高さ方向）である。そして、図１乃至図３に示す例においては、上下方向Ｚがレンズの光軸Ｏ方向である。
【００２２】
但し、実際の使用状況においては、光軸Ｏ方向、すなわち、Ｚ軸方向が前後方向となる。換言すれば、Ｚ軸の上方向が前方向となり、Ｚ軸の下方向が後方向となる。
【００２３】
図示のレンズ駆動装置１０は、オートフォーカス可能なカメラ付き携帯電話に備えられる。レンズ駆動装置１０は、レンズアセンブリ（バレル）（図示せず）を光軸Ｏ方向に移動させるためのものである。レンズ駆動装置１０は、Ｚ軸方向（光軸Ｏ方向）の下側（後側）に配置されたアクチュエータ・ベース１２を有する。このアクチュエータ・ベース１２の下部（後部）には、図示はしないが、基板に配置された撮像素子が搭載される。この撮像素子は、レンズアセンブリにより結像された被写体像を撮像して電気信号に変換する。撮像素子は、例えば、ＣＣＤ（charge coupled device）型イメージセンサ、ＣＭＯＳ（complementary metal oxide semiconductor）型イメージセンサ等により構成される。したがって、レンズ駆動装置１０と、基板と、撮像素子との組み合わせによって、カメラモジュールが構成される。
【００２４】
レンズ駆動装置１０は、レンズアセンブリ（バレル）を保持するための筒状部１４０を有するレンズホルダ１４と、このレンズホルダ１４に筒状部１４０の周囲に位置するように固定された駆動コイル１６と、この駆動コイル１６と対向する永久磁石１８を備えたヨーク２０と、レンズホルダ１４の筒状部１４０の光軸Ｏ方向両側に設けられた一対の板バネ２２、２４を備える。一対の板バネ２２、２４は、レンズホルダ１４を径方向に位置決めした状態で光軸Ｏ方向に変位可能に支持する。一対の板バネ２２、２４のうち、一方の板バネ２２は上側板バネと呼ばれ、他方の板バネ２４は下側板バネと呼ばれる。
【００２５】
また、前述したように、実際の使用状況においては、Ｚ軸方向（光軸Ｏ方向）の上方向が前方向、Ｚ軸方向（光軸Ｏ方向）の下方向が後方向となる。したがって、上側板バネ２２は前側スプリングとも呼ばれ、下側板バネ２４は後側スプリングとも呼ばれる。
【００２６】
図３に示されるように、ヨーク２０は八角筒状をしている。ヨーク２０の八角筒は、互いに対向する４長側辺と、これら４長側辺間に配置された４短側辺とから成る。従って、駆動コイル１６も、八角筒状のヨーク２０の形状に合わせた、八角筒状をしている。永久磁石１８は、ヨーク２０の八角筒の各側辺に配置された、８個の矩形状の永久磁石片１８２から成る。ヨーク２０は、八角筒形状の外筒部２０２と、この外筒部２０２の上端（前端）に設けられた八角形のリング端部２０４とを有する。
【００２７】
図２に示されるように、ヨーク２０の外筒部２０２の内周面に、駆動コイル１６と間隔を置いて、永久磁石１８が配置されている。
【００２８】
前側スプリング２２はレンズホルダ１４における光軸Ｏ方向前側に配置され、後側スプリング２４はレンズホルダ１４における光軸Ｏ方向後側に配置される。前側スプリング２２と後側スプリング２４とは、略同一構成をしている。すなわち、前側スプリング２２は、レンズホルダ１４に取り付けられた内周側端部２２２と、ヨーク２０に取り付けられた外周側端部２２４とを有する。内周側端部２２２と外周側端部２２４とに間には、３つの腕部が設けられている。各腕部は、内周側端部２２２と外周側端部２２４とを繋いでいる。
【００２９】
同様に、後側スプリング２４は、レンズホルダ１４に取り付けられた内周側端部２４２と、ヨーク２０に取り付けられた外周側端部２４４とを有する。内周側端部２４２と外周側端部２４４とに間には、３つの腕部が設けられている。各腕部は、内周側端部２４２と外周側端部２４４とを繋いでいる。
【００３０】
尚、内周側端部は内輪とも呼ばれ、外周側端部は外輪とも呼ばれる。
【００３１】
前側スプリング２２の内周側端部２２２は、レンズホルダ１４とストッパ２６に挟持されて固定されている。換言すれば、ストッパ２６は、前側スプリング２２の内周側端部２２２を、レンズホルダ１４との間で挟持するように、レンズホルダ１４と嵌合する。一方、前側スプリング２２の外周側端部２２４は、ヨーク２０とカバー２８との間に挟持され固定されている。
【００３２】
ストッパ２６には、次に述べるような機能がある。すなわち、ストッパ２６は、前側スプリング２２の内周側端部２２２をレンズホルダ１４にバラツキなく高精度に密着させる機能を持つ。これにより、ＶＣＭ（ボイス・コイル・モータ）特性のバラツキを改善できる。また、ストッパ２６は、前側スプリング２２の接着強度を向上させる機能をもつ。これにより、レンズ駆動装置１０の耐衝撃性を向上させている。さらに、ストッパ２６は、レンズ駆動装置１０の落下衝撃の際の前側スプリング２２の変形を防止する機能を持つ。これによっても、レンズ駆動装置１０の耐衝撃性を向上させている。また、ストッパ２８は、レンズ駆動装置１０の機械的ストロークを決める機能を持つ。
【００３３】
尚、後述するように、本実施の形態では、このストッパ２６に、レンズホルダ１４の回転防止機能も付加されている。
【００３４】
一方、後側スプリング２４の外周側端部２４４は、スペーサ３０を介してヨーク２０に固定されている。換言すれば、スペーサ３０と後側スプリング２４の外周側端部２４４とは、ヨーク２０とアクチュエータ・ベース１２との間に挟持されて固定されている。後側スプリング２４の内周側端部２４２は、レンズホルダ１４の後端側に固定されている。
【００３５】
レンズホルダ１４の筒状部１４０の内周壁には雌ネジ１４２が切られている。一方、図示しないが、レンズアセンブリ（バレル）の外周壁には、上記雌ネジ１４２に螺合される雄ネジが切られている。従って、レンズアセンブリ（バレル）をレンズホルダ１４に装着するには、レンズアセンブリ（バレル）をレンズホルダ１４の筒状部１４０に対して光軸Ｏ周りに回転して光軸Ｏ方向に沿って螺合することにより、レンズアセンブリ（バレル）をレンズホルダ１４内に収容し、接着剤なとによって互いに接合する。
【００３６】
この際、レンズホルダ１４が一緒に回転しまう恐れがあるが、本発明では、後述するようにして、レンズホルダ１４が回転するのを完全に防止している。
【００３７】
駆動コイル１６に通電することで、永久磁石１８の磁界と駆動コイル１６に流れる電流による磁界との相互作用によって、レンズホルダ１４（レンズアセンブリ）を光軸Ｏ方向に位置調整することが可能である。
【００３８】
後側スプリング２４とベース１２との間には、シート状電極３２が配置されている。このシート状電極３２は、駆動コイル１６に電力を供給するためのものである。また、カバー２８の上端（前端）には、開口３４ａを持つプレート３４が設けられる。
【００３９】
図示の実施の形態では、ストッパ２６は、光軸Ｏに対して１８０°だけ回転させた２回回転対称な位置に設けられた２つのコ字形状の回転防止押え部２６２を持つ。これらコ字形状の回転防止押え部２６２は、レンズアセンブリをレンズホルダ１４の筒状部１４０に装着する際に、レンズホルダ１４が回転するのを完全に防止する回転防止部材として働く。すなわち、レンズアセンブリのレンズホルダ１４の筒状部１４０への装着時に、２つのコ字形状の回転防止押え部２６２に後述する治具を差し込み保持することで、レンズホルダ１４が回転するのを完全に防止する。この際、ストッパ１６とカバー２８との間のクリアランスは確保（保持）される。
【００４０】
したがって、レンズアセンブリ（バレル）をレンズホルダ１４に装着する際またはフォーカス調整する際、レンズホルダ１４を上下（前後）から支持する上側板バネ（前側スプリング）２２および下側板バネ（後側スプリング）２４が変形するのを防止することができる。また、フォーカス調整作業時、レンズホルダ１４の動きを規制できるので、作業性が向上する。さらに、フォーカス調整作業時、レンズホルダ１４の動きを規制できるので、調整精度が向上する。
【００４１】
次に、図４乃至図６を参照して、２つのコ字形状の回転防止押え部２６２に差し込まれる治具４０について説明する。図４は治具４０をレンズ駆動装置１０に装着した状態を示す斜視図である。図５は治具４０とレンズ駆動装置１０とを分離した状態で斜め上方から見た斜視図である。図６は治具４０とレンズ駆動装置１０とを分離した状態で斜め下方から見た斜視図である。
【００４２】
治具４０は、カバー２８の上面（前面）に装着されるリング状部４０２と、カバー２８の４つの側面と当接（摺接）可能なように、リング状部４０２から下方（後方）へ突出する４つの係合片４０４と、上記２つのコ字形状の回転防止押え部２６２と係合する位置で、リング状部４０２から下方（後方）へ突出する２つの係合突起４０６とを有する。
【００４３】
次に、図４乃至図６を参照して、レンズアセンブリ（バレル）をレンズホルダ１４の筒状部１４０へ装着する際の手順について説明する。
【００４４】
この場合、先ず、図４に示されるように、治具４０をレンズ駆動装置１０に装着する。このとき、治具４０の４つの係合片４０４がカバー２８の４つの側面と当接（摺接）する。と同時に、治具４０の２つの係合突起４０６が、ストッパ２６の２つのコ字形状の回転防止押え部２６２と係合する。これにより、カバー２８とストッパ２６との間のクリアランスが維持された状態で、カバー２８に対してレンズホルダ１４が保持される。すなわち、カバー２８に対するレンズホルダ１４の回転が完全に防止される。
【００４５】
次に、レンズアセンブリ（バレル）をレンズホルダ１４の筒状部１４０に装着する。詳述すると、レンズアセンブリ（バレル）をレンズホルダ１４の筒状部１４０に対して光軸Ｏ周りに回転して光軸Ｏ方向に沿って螺合する。これにより、レンズアセンブリ（バレル）をレンズホルダ１４内に収容される。この際、治具４０の２つの係合突起４０６がストッパ２６の２つのコ字形状の回転防止押え部２６２に係合しているので、レンズホルダ１４が、レンズアセンブリ（バレル）と一緒に回転するのを完全に防止することができる。この螺合により、レンズアセンブリ（バレル）がレンズホルダ１４の筒状部１４０の所定の位置に到達した後、接着剤などによって、レンズアセンブリ（バレル）とレンズホルダ１４の筒状部１４０とを互いに接合する。
【００４６】
以上、本発明についてその好ましい実施の形態によって説明してきたが、本発明の精神を逸脱しない範囲内で、種々の変形が当業者によって可能であるのは明らかである。
【図面の簡単な説明】
【００４７】
【図１】本発明の一実施の形態によるレンズ駆動装置の外観斜視図である。
【図２】図１に示したレンズ駆動装置の断面図である。
【図３】図１に図示したレンズ駆動装置の分解斜視図である。
【図４】治具を図１に図示したレンズ駆動装置に装着した状態を示す斜視図である。
【図５】治具とレンズ駆動装置とを分離した状態で斜め上方から見た斜視図である。
【図６】治具とレンズ駆動装置とを分離した状態で斜め下方から見た斜視図である。
【符号の説明】
【００４８】
１０    レンズ駆動装置
１２    アクチュエータ・ベース
１４    レンズホルダ
１４０    筒状部
１４２    雌ネジ
１６    駆動コイル
１８    永久磁石
２０    ヨーク
２２    前側スプリング（上側板バネ）
２２２    内周側端部（内輪）
２２４    外周側端部（外輪）
２４    後側スプリング（下側板バネ）
２４２    内周側端部（内輪）
２４４    外周側端部（外輪）
２６    ストッパ
２６２    コ字形の回転防止押え部（回転防止部材）
４０    治具
Ｏ    光軸
【図１】
0005218740.tif 000002
【図２】
0005218740.tif 000003
【図３】
0005218740.tif 000004
【図４】
0005218740.tif 000005
【図５】
0005218740.tif 000006
【図６】
0005218740.tif 000007